(57)【要約】【課題】扉の開閉動作において、その開閉動作軌跡の領域を極めて少ないものとし、家具の開口面積を最大限に使用することができ、且つ家具周囲の扉開閉面積を小さくして、省スペース化を実現することができる家具扉の開閉装置を提供すること。【解決手段】ケーシングＡと、前記ケーシングＡ内に回動中心部９を枢支連結部Ｐ１  とする主アームＢと、前記ケーシングＡ内に副回動中心部１３を枢支連結部Ｐ４  とする副アームＣと、前記主アームＢと前記副アームＣとのそれぞれの回動自由端側に枢支連結部Ｐ２  ，Ｐ３  にて枢支連結される扉接合具Ｄとからなること。これらの枢支連結部Ｐ１  ，Ｐ２  ，Ｐ３  ，Ｐ４  が常時平行四辺形を構成しながら主アームＢと副アームＣとが回動すること。前記ケーシングＡは家具本体２７の床部２７ａと天井部２７ｂとに装着され、前記扉接合具Ｄは扉に接合されてなること。【選択図】      図２
2004360180.tif 000002
【特許請求の範囲】
【請求項１】
ケーシングと、前記ケーシング内に回動中心部を枢支連結部とする主アームと、前記ケーシング内に副回動中心部を枢支連結部とする副アームと、前記主アームと前記副アームとのそれぞれの回動自由端側に枢支連結部にて枢支連結される扉接合具とからなり、これらの枢支連結部が常時平行四辺形を構成しながら主アームと副アームとが回動するものとし、前記ケーシングは家具本体の床部と天井部とに装着され、前記扉接合具は扉に接合されてなることを特徴とする家具扉の開閉装置。
【請求項２】
請求項１において、前記ケーシング内には、前記主アームが扉閉状態にて仮固定される仮固定手段を具備してなることを特徴とする家具扉の開閉装置。
【請求項３】
請求項２において、前記仮固定手段は仮固定力を適宜調整自在とする調整部材が具備されてなることを特徴とする家具扉の開閉装置。
【請求項４】
請求項１又は２において、前記扉接合具には、補助接合具が具備され、扉接合具と家具扉とは前記補助接合具を介して接合され、前記補助接合具は前記扉接合具から上下及び前後方向における位置調整手段を設けてなることを特徴とする家具扉の開閉装置。
【請求項５】
請求項４において、前記補助接合具には、前記扉接合具の上部に載置される水平部が形成されてなることを特徴とする家具扉の開閉装置。
【発明の詳細な説明】
【０００１】
【発明の属する技術分野】
本発明は、扉の開閉動作において、その開閉動作軌跡の領域を極めて少ないものとし、家具の開口面積を最大限に使用することができ、且つ家具周囲の扉開閉面積を小さくして、省スペース化を実現することができる家具扉の開閉装置に関する。
【０００２】
【従来の技術】
従来より、家具扉における開閉機構には、種々のものが存在している。その開閉装置の最も一般的なものとして、ヒンジが存在している。また、家具扉の開閉をスムーズに行うために特許文献１に示すようなスライドヒンジも多く利用されている。これらのヒンジは、家具扉の１辺を回動中心とし、開閉動作を行うことができるものである。この種のものでは、家具扉の他側辺が回動自由端側となり、開閉するので、家具扉の横方向寸法が直接的に開閉領域となる。さらに、家具扉が完全なスライド構造を有するものとしたものが存在する。この場合には、家具扉の開閉に対して、家具扉は家具本体の前面に飛び出すことはないが、家具本体の横方向に家具扉が移動するので、ガイドレールが必要となる。
【０００３】
【特許文献１】
特開平８−１２８２５０号
【０００４】
【発明が解決しようとする課題】
ところで上記特許文献１では、上述したように、特許文献１等のヒンジ類を使用したものでは家具扉は、家具本体の前面に飛び出すようにして、開閉動作を行うものである。そのために、家具本体の前面には少なくとも家具扉の横方向の寸法に応じたスペースが絶対に必要である。しかし、家具は省スペース化の方向に進み、効率的な収納ができるようなものが望まれている。このようなことから、家具扉の開閉においても、たとえその周囲が狭くても、家具扉の開閉を楽に行うことができなくてはならない。このようなことから、従来の家具扉では、その扉の横方向の寸法が直接、開閉揺動にかかるスペースとなり、家具の前面には、比較的広い面積を開けておかなくてはならない。
【０００５】
さらに、家具扉がスライドして開閉するものでは、家具の前面のスペースは少なくとも構わないが、その家具の横側には、扉のスライドスペースが必要であるし、また家具扉のためのスライドレールも特別に必要となるため、機構が複雑となるものであった。
【０００６】
【課題を解決するための手段】
そこで、発明者は、上記課題を解決すべく鋭意，研究を重ねた結果、本発明を、ケーシングと、前記ケーシング内に回動中心部を枢支連結部とする主アームと、前記ケーシング内に副回動中心部を枢支連結部とする副アームと、前記主アームと前記副アームとのそれぞれの回動自由端側に枢支連結部にて枢支連結される扉接合具とからなり、これらの枢支連結部が常時平行四辺形を構成しながら主アームと副アームとが回動するものとし、前記ケーシングは家具本体の床部と天井部とに装着され、前記扉接合具は扉に接合されてなる家具扉の開閉装置としたことにより、家具扉の開閉スペースを最小限にすることができ、省スペース化を実現することができ、さらに家具扉の開閉が効率的に行うことができ、上記課題を解決したものである。
【０００７】
【発明の実施の形態】
以下、本発明の実施形態を図面に基づいて説明する。本発明は、図３乃至図５等に示すように、主にケーシングＡと、主アームＢと、副アームＣとからなり、さらに家具扉２８との接合には補助接合具Ｄ１  が構成部材に加わる。これらは、主に金属材から形成されている。そのケーシングＡは、図３，図５（Ａ）等に示すように、上下に２分割構造とされ、ベース部Ａ１  とカバー部Ａ２  とから構成される。そのベース部Ａ１  は、ベース板１に主回動支持部２及び副回動支持部３が形成されている。該副回動支持部３は、穴形状に形成されたもので、後述する副アームＣの枢支ピン１３ａが挿入される。
【０００８】
前記ベース板１は、図４，図５（Ａ）等に示すように、略長方形状に形成されたものであり、且つ後述する家具本体２７に固着される部位であり、家具本体２７に固定するために複数の固定貫通孔１ａ，１ａが形成されている。また、ベース部Ａ１  には、後述する仮固定手段Ｅのための押圧体２０を装着するガイド部４が形成されている。まず、前記主回動支持部２は、主アームＢの回動中心部９を支持する部位であり、支持軸部２ａが前記ベース板１に対して垂直状に形成される。
【０００９】
その支持軸部２ａは、図６に示すように、円筒管状に形成され、カバー部Ａ２  に連結するためのビス等の固着具が挿通する構造となっている。また、その支持軸部２ａの周囲には、スラスト軸受が装着される円形状の膨出条又は溝条に形成された軸受配置部２ｂが設けられている。そのガイド部４は、前記ベース板１の内側の表面から膨出した部位であり、ベース部Ａ１  とカバー部Ａ２  とを接合するときに、ベース板１と後述するカバー部Ａ２  のカバー板５との間に適宜の間隔が形成されるスペーサーとしての役目も兼用する。
【００１０】
そのガイド部４には、図４乃至図６等に示すように、ガイド膨出部４ａの内部に案内溝４ｂ，調整溝４ｃ，内螺子部４ｄ及び仮固定強度調整溝４ｅが直線状に連続形成されている。これら案内溝４ｂ，調整溝４ｃ，内螺子部４ｄ及び仮固定強度調整溝４ｅに、主アームＢを仮固定する仮固定機構が設けられる。そのガイド部４の外側形状は、主アームＢ及び副アームＣがケーシングＡ内部で回動するときに、良好な回動動作を行いやすいように好適な形状となっている。
【００１１】
すなわち、図５，図７（Ａ），（Ｂ）等に示すように前記主アームＢが回動して開き状態となったときに、その主アームＢが当接することによって該主アームＢの回動範囲を適正に規制するストッパとしての役目をなすストッパ面部４ｆが形成されている。該ストッパ面部４ｆは、平坦な傾斜面に形成され主アームＢのアーム部が面接触するものである。さらに、副アームＣの装着箇所では、ガイド部４の外面は円弧凹み状に形成されており、前記副アームＣのケーシングＡ側における回動軌跡よりも大きな半径を有し、副アームＣの回動中心部付近が良好に回動することができるようになっている。
【００１２】
そのカバー部Ａ２  は、前記ベース部Ａ１  と略同様な構成であり、前記主回動支持部２及び副回動支持部３と同等形状のカバー側主回動支持部２’及び副回動支持部３’が形成されている。さらに、カバー部Ａ２  には前記ガイド部４と略同等形状のカバー側ガイド部４’が形成され、前記ガイド部４に形成されている案内溝４ｂ，調整溝４ｃ，内螺子部４ｄ及び仮固定強度調整溝４ｅと同等形状の部位が形成されている。そして、前記ベース部Ａ１  とカバー部Ａ２  とを接合した状態で、ガイド部４とカバー側ガイド部４’とが当接し、仮固定手段Ｅの機構部が装着されるハウジングが構成され、且つ前記ベース板１とカバー板５にて前記主アームＢの回動中心部９及び副アームＣの副回動中心部１３のそれぞれのスペースが確保されるものである。
【００１３】
また、前記ガイド部４は、図４乃至図６等に示すように、前記ベース部Ａ１  のベース板１の幅方向において左右対称形状に形成されている。そして、その両側箇所に副回動支持部３，３が形成されている。この構成は前記カバー部Ａ２  においても同様である。これによって、主アームＢ及び副アームＣは、ケーシングＡの幅方向における左右何れの側にも装着可能となり、たとえば、ベース部Ａ１  とカバー部Ａ２  とを開いて内部に装着された主アームＢと副アームＣとを左右勝手反対となるように入れ替えることにより、家具扉２８の開閉方向が左右何れの場合でも適用することができる。
【００１４】
次に、主アームＢは、主アーム部８，回動中心部９及び自由端部１０から構成される。主アーム部８の長さは、家具扉２８の横方向の寸法に応じて適宜に決定されるものである。その主アーム部８は、前記家具扉２８の重量を支持するもので、比較的軸太であり、家具扉２８の重量を十分に支持することができるようにすることが好適である。さらに、その主アーム部８の自由端部１０側寄りの位置には、図３，図５（Ａ）等に示すように、連結用突起部１１が形成され、後述する連結柱２３が連結される部位となっている。具体的には、その連結用突起部１１には、連結台１１ａに突起１１ｂが形成されたものである。その突起１１ｂが前記連結柱２３の軸端に形成された挿入穴に挿入されて連結される。
【００１５】
その回動中心部９は、前記ケーシングＡに形成された主回動支持部２に回動自在に装着される。回動中心部９は、図６に示すように、略円板状に形成されており、その中心部に回動貫通孔９ａが形成されている。該回動貫通孔９ａには、前記主回動支持部２の支持軸部２ａが挿通して回動中心部９をケーシングＡ内に軸支するものである。その回動中心部９の所定箇所に仮固定手段Ｅを構成する被押圧面部９ｂが形成されている。該被押圧面部９ｂは、家具扉２８が閉じ状態の時に仮固定手段Ｅの押圧体２０の押圧部２０ｂが押圧して、家具扉２８の閉じ状態を維持するようにしたものである。
【００１６】
その被押圧面部９ｂは、図６に示すように、平坦面状に形成されるもので、家具扉２８が閉じ状態のときに、その被押圧面部９ｂに押圧体２０の押圧部２０ｂが押圧するものである。さらに被押圧面部９ｂ以外の箇所で、前記押圧部２０ｂと接触する部分には、略半円状に円板状突起条９ｃが形成されている。そして、家具扉２８が開き方向に移動しても、図７（Ａ），（Ｂ）に示すように、円板状突起条９ｃが押圧部２０ｂの抵抗部位となり、家具扉２８が振動，衝撃等により勝手に開くことを防止することができる。また、主アームＢの自由端部１０は、後述する扉接合具Ｄが装着される部位となる。この円板状突起条９ｃにより家具扉２８の閉じ状態が安定した状態で維持される。
【００１７】
その副アームＣは、前記主アームＢとともに回動動作を行うものであり、その回動動作時において、常時，主アームＢと平行状態を維持するものである。その副アームＣは、図４，図５等に示すように、副アーム部１２，副回動中心部１３及び副回動自由端１４から構成される。その副アーム部１２は、断面が略方形状に形成され、力学的強度が十分にあるように形成されている。そして、副アームＣの副回動中心部１３には、図６に示すように、枢支ピン１３ａが形成され、前記副回動中心部１３に挿入される。また、副回動自由端１４には、前記主アームＢの自由端部１０とともに扉接合具Ｄがそれぞれに枢支されている。
【００１８】
ここで、前記主アームＢとケーシングＡとが回動中心部９を回動中心としており、この回動中心部を枢支連結部Ｐ１  と称する。また、前記副アームＣとケーシングＡとが副回動中心部１３を回動中心としており、この回動中心部を枢支連結部Ｐ４  と称する。さらに、主アームＢの自由端部１０と後述する扉接合具Ｄとの連結箇所は、枢支連結部Ｐ２  と称する。さらに、前記副アームＣの副回動自由端１４と扉接合具Ｄとの連結箇所を枢支連結部Ｐ３  と称する。
【００１９】
そして、その枢支連結部Ｐ１  ，Ｐ２  ，Ｐ３  とＰ４  とを結ぶ仮想線により構成される形状が常時平行四辺形を構成するようにしている（仮想線は図２，図４，図５等に実線にて記載）。その枢支連結部Ｐ１  ，Ｐ２  ，Ｐ３  とＰ４  とを結ぶ仮想線が常時，平行四辺形を構成しながら前記主アームＢ，副アームＣ及び扉接合具Ｄが移動するものであり、これによって、前記扉接合具Ｄの長手方向はケーシングＡの長手方向に対して常時平行状態となり、ひいては家具扉２８も家具本体２７に対して平行状態で開閉することができる（図２参照）。
【００２０】
その扉接合具Ｄは、図４，図５，図１２及び図１３（Ａ）等に示すように、接合本体部１５に前記主アームＢとの主連結部１５ａ及び副アームＣとの副連結部１５ｂが形成されている。また家具扉２８を固定する間接部材である補助接合具Ｄ１  に固着するための固定用孔１５ｃが形成されている。さらに接合本体部１５には、図１２（Ａ），（Ｂ）に示すように、前後調整部１６及び高さ調整部１７等の前後・上下方向における家具扉２８の位置調整手段が設けられている。
【００２１】
その前後調整部１６には、六角孔付き螺子等の前後調整螺子１６ａが装着され、該前後調整螺子１６ａを回転させて後述する補助接合具Ｄ１  との前後方向の距離を調整することができるようになっている〔図１３（Ｂ）参照〕。また、高さ調整部１７は、六角孔付き螺子等の高さ調整螺子１７ａが装着され、該高さ調整螺子１７ａを回転させて補助接合具Ｄ１  との扉接合具Ｄと補助接合具Ｄ１  との高さ方向を調整することができるようになっている〔図１３（Ａ）参照〕。
【００２２】
次に仮固定手段Ｅは、図４乃至図６に示すように、押圧体２０，弾性部材２１及び調整部材２２から構成される。その押圧体２０は、筺体部２０ａと押圧部２０ｂからなり、前記筺体部２０ａは、図６に示すように、その内部に弾性部材２１の一部が収納される収納穴２０ａ１  が形成されている。また弾性部材２１は、通常、図６，図７に示すように、コイルスプリングが使用され、前記収納穴２０ａ１  にコイルスプリングが長手方向に沿って収納される。
【００２３】
また、調整部材２２は、ボルトが使用され、さらに具体的には六角穴付きボルトが使用される。その調整部材２２の頭部２２ｂを適宜に回転させて螺子軸部２２ａを軸方向に移動させ、前記弾性部材２１を押圧して、その弾性力を適宜調整することにより、押圧体２０の前記主アームＢの回動中心部９に対する押圧力を適宜調整することができるようにしたものである。このように前記押圧体２０により主アームＢの回動中心部９が押圧されることで、図７（Ａ）に示すように、回動中心部９の平坦状の被押圧面部９ｂが押圧され、前記主アームＢが閉じ状態或いは開き状態で仮固定される。
【００２４】
その押圧体２０の筺体部２０ａは、図４，図５等に示すように、前記案内溝４ｂに配置され、軸方向に摺動自在としている。また、弾性部材２１は、調整溝４ｃに配置される。さらに、その調整部材２２の螺子軸部２２ａは、前記ガイド部４の内螺子部４ｄに螺合され、頭部２２ｂを回転させることにより、螺子軸部２２ａが軸方向に移動することができ前記弾性部材２１を押圧して弾性力を適宜調整することができる。
【００２５】
次に、補助接合具Ｄ１  は、図１１（Ｂ），図１３（Ａ）に示すように、前記扉接合具Ｄと家具扉２８との間に介在されて、扉接合具Ｄと家具扉２８との接合位置を微調整させることができるようにしたものである。この補助接合具Ｄ１  は、図１０（Ｂ）に示すように、補助本体部２５と固定用孔２６から形成され前記補助本体部２５は、垂下部２５ａと水平部２５ｂから形成され、前記垂下部２５ａに固定用孔２６が形成されている。その垂下部２５ａが家具扉２８の上下方向の端部箇所に前記固定用孔２６にビス等の固着具２９が挿入されて固着され、補助接合具Ｄ１が家具扉２８に装着される〔図１１（Ａ）参照〕。
【００２６】
そして、水平部２５ｂには、２つの長孔２５ｄ，２５ｄが形成されている。該長孔２５ｄ，２５ｄには、前記扉接合具Ｄの接合本体部１５の上面部に形成された係止突起部１５ｄ，１５ｄが遊挿するものである。該係止突起部１５ｄは、前記長孔２５ｄ内を前後左右に亘って相対的に移動することができる。また、水平部２５ｂは、その接合本体部１５の上部に載置される状態となり、家具扉２８に固着された補助接合具Ｄ１  の水平部２５ｂが扉接合具Ｄの上部に載置されることにより、家具扉２８が扉接合具Ｄ上に載るような状態で一時的に支持され、据え付け作業における作業員の負担を減少させることができる。
【００２７】
前記垂下部２５ａには、扉接合具Ｄとの接合が可能なように、２つの接合用固定部２５ｃ，２５ｃが形成されている。該接合用固定部２５ｃは、内螺子であり、図１１（Ａ），（Ｂ）に示すように、この接合用固定部２５ｃ，２５ｃとビス等の固着具３０を介して扉接合具Ｄと補助接合具Ｄ１  とが接合固定される。また、前記扉接合具Ｄに設けられた前記前後調整部１６及び高さ調整部１７により、接合本体部１５と補助接合具Ｄ１  との上下，前後，左右の位置の微調整が行われる。具体的には、図１２（Ａ），図１３（Ａ）に示すように、接合本体部１５の長手方向の両側箇所に前後調整部１６，１６が設けられている。
【００２８】
そして、前後調整部１６には、調整内螺子部１６ｂに六角孔付き螺子等の前後調整螺子１６ａが装着され、該前後調整螺子１６ａを回転させて、該前後調整螺子１６ａを水平方向に移動させることにより、前記扉接合具Ｄに対して補助接合具Ｄ１  を前後方向に位置調整することができるようになっている〔図１３（Ｂ）参照〕。また、高さ調整部１７は、図１２（Ｂ），図１３（Ａ）に示すように、前記接合本体部１５の長手方向の略中央箇所に垂直方向に高さ調整内螺子部１７ｂが形成され、該高さ調整内螺子部１７ｂに沿って移動する六角孔付き螺子等の高さ調整螺子１７ａが装着されている。そして、該高さ調整螺子１７ａを回転させて補助接合具Ｄ１  を扉接合具Ｄに対して高さ方向を調整することができるようになっている〔図１３（Ｃ）参照〕。
【００２９】
図９は、本発明における開閉装置が家具本体２７に装着される工程を示すものである。まず、図９（Ａ）に示すように、家具本体２７の床部２７ａと天井部２７ｂとに装着される開閉具の両主アームＢ，Ｂ間に連結柱２３が連結され、図９（Ｂ）に示すように、その上下両ケーシングＡ，Ａが床部２７ａと天井部２７ｂに固着される。図８は、本発明における家具扉２８が開く過程であり、前記家具扉２８が閉じた状態から完全に開いた状態に亘って家具本体２７の開口面と常時平行であることを示している。
【００３０】
また、図２では、本発明において家具扉２８が開閉軌跡における家具本体２７から前方に張り出す量Ｌａは、通常の回転して開閉する扉ｄの張出量Ｌｂよりも少なくすることができ、家具本体２７の前方におけるスペースが比較的少なくとも家具扉２８を開閉することができることを開示している。図１４は、家具本体２７がコーナーユニットタイプとしたもので、このようなコーナーユニットタイプの家具において、本発明の家具扉の開閉装置は最も適したものであり、家具本体２７の開閉が行いやすいものである。
【００３１】
【発明の効果】
請求項１の発明は、ケーシングＡと、前記ケーシングＡ内に回動中心部９を枢支連結部Ｐ１  とする主アームＢと、前記ケーシングＡ内に副回動中心部１３を枢支連結部Ｐ４  とする副アームＣと、前記主アームＢと前記副アームＣとのそれぞれの回動自由端１０，１４側に枢支連結部Ｐ２  ，Ｐ３  にて枢支連結される扉接合具Ｄとからなり、これらの枢支連結部Ｐ１  ，Ｐ２  ，Ｐ３  ，Ｐ４  が常時平行四辺形を構成しながら主アームＢと副アームＣとが回動するものとし、前記ケーシングＡは家具本体２７の床部２７ａと天井部２７ｂとに装着され、前記扉接合具Ｄは扉に接合されてなる家具扉の開閉装置としたことにより、家具扉２８の開閉動作において、その開閉動作軌跡の領域を極めて小さいものとし、家具の開口面積を最大限に使用することができ、ひいては省スペース化を実現することができる等の効果を奏する。
【００３２】
上記効果を詳述すると、前記ケーシングＡと主アームＢの回動中心部９における枢支連結部Ｐ１  と、前記ケーシングＡと副アームＣの副回動中心部１３における枢支連結部Ｐ４  と、扉接合具Ｄと前記主アームＢと副アームＣとのそれぞれの枢支連結部Ｐ２  ，Ｐ３  の４個の枢支連結部Ｐ１  ，Ｐ２  ，Ｐ３  及びＰ４  が常時，平行四辺形を構成するようにして、前記主アームＢと副アームＣとが回動することものである。
【００３３】
それゆえに、その家具扉２８の開閉動作は、家具本体２７の開口面に平行な状態であり、また、少ない開閉軌跡の領域となる。したがって、従来のスライドヒンジのように、家具本体２７の前面に突出する分量が少なくでき、これによって、家具の前面箇所が狭くても、家具扉２８の開閉を行うことができるものである。（図２，図８等参照）。また、家具扉２８の開閉が主アームＢと副アームＣとの２本によって行われるので、家具扉２８は、安定した開閉動作を得ることができる。
【００３４】
請求項２の発明は、請求項１において、前記ケーシングＡ内には、前記主アームＢが扉閉状態にて仮固定される仮固定手段Ｅを具備してなる家具扉２８の開閉装置としたことにより、家具扉２８を閉じた状態（又は開いた状態）を維持することができ、地震等による衝撃が発生しても、前記家具扉２８が勝手に開くことを防止し、危険を未然に防止することができる。
【００３５】
請求項３の発明は、請求項２において、前記仮固定手段Ｅは仮固定力を適宜調整自在とする調整部材２２が具備されてなる家具扉の開閉装置としたことにより、その家具扉２８の閉じ状態の固定力を適宜調整することができる。これによって、使用する者が調整部材２２を介して主アームＢに対する押圧力を適宜に調整することで、家具扉２８を開閉するときに所望の力で開閉が行えるようにすることができる。
【００３６】
請求項４の発明は、請求項１又は２において、前記扉接合具Ｄには、補助接合具Ｄ１  が具備され、扉接合具Ｄと家具扉２８とは前記補助接合具Ｄ１  を介して接合され、前記補助接合具Ｄ１  は前記扉接合具Ｄから上下及び前後方向における位置調整手段を設けてなる家具扉の開閉装置としたことにより、家具扉２８の家具本体２７への取付位置の微調整を容易且つ効率的な作業にて行うことができる。すなわち、前記扉接合具Ｄには位置調整手段（前後調整部１６及び高さ調整部１７）が備えられ、扉接合具Ｄに対して補助接合具Ｄ１  は前記位置調整手段により、前後方向及び高さ方向に微調整ができる。これによって、家具扉２８を家具本体２７に対して正確な位置に設置することができる。
【００３７】
請求項５の発明は、請求項４において、前記補助接合具Ｄ１  には、前記扉接合具Ｄの上部に載置される水平部２５ｂが形成されてなる家具扉の開閉装置としたことにより、補助接合具Ｄ１  の水平部２５ｂを扉接合具Ｄに載置することができ、重量のある家具扉であっても楽に装着作業を行うことができる。すなわち、水平部２５ｂは、扉接合具Ｄの接合本体部１５の上部に載置可能である。
【００３８】
そして、家具扉２８に固着された補助接合具Ｄ１  の水平部２５ｂが扉接合具Ｄの上部に載置されることにより、家具扉２８が扉接合具Ｄ上に載せられたような状態となり、家具扉２８が一時的に支持され、作業員が家具扉２８から手を離しながら、扉接合具Ｄと補助接合具Ｄ１  とを接合する作業ができ、据え付け作業における作業員の重量的な負担を減少させることができる。
【図面の簡単な説明】
【図１】本発明における家具本体において家具扉が開いた状態の斜視図
【図２】本発明の家具扉が開いた状態の縦断平面図
【図３】本発明における開閉具の閉じ状態の斜視図
【図４】本発明における開閉具のカバー部を外した状態の平面図
【図５】（Ａ）は開閉具の主アーム及び副アームを開いた状態における状態の斜視図  （Ｂ）は開閉具のカバー部を外した状態で主アーム及び副アームを開いた状態における平面図
【図６】本発明における開閉具の分解斜視図
【図７】（Ａ）は主アームと副アームとが閉じた状態の一部断面とした要部拡大平面図（Ｂ）は主アームと副アームとが開いた状態の一部断面とした要部拡大平面図
【図８】（Ａ）は家具扉が閉じた状態の略示断面図
（Ｂ）は家具扉が開いている途中の略示断面図
（Ｃ）は家具扉の開きが完了した略示断面図
【図９】（Ａ）は上下に位置する一対の開閉具と連結柱との分解斜視図
（Ｂ）は家具本体の床部と天井部に開閉具を装着した斜視図
【図１０】（Ａ）は家具扉に補助接合具を装着している状態の斜視図
（Ｂ）は補助接合具の斜視図
【図１１】（Ａ）は家具扉に装着した補助接合具に扉接合具を接合する状態の斜視図
（Ｂ）は補助接合具に扉接合具を接合した状態の斜視図
【図１２】（Ａ）は扉接合具の前後方向調整機構を示す斜視図
（Ｂ）は扉接合具の高さ調整機構を示す斜視図
【図１３】（Ａ）は扉接合具と補助接合具との接合構造を示す縦断平面図
（Ｂ）は（Ａ）のＸ１  −Ｘ１  矢視断面図
（Ｃ）は（Ａ）のＸ２  −Ｘ２  矢視断面図
【図１４】（Ａ）は本発明において家具本体をコーナーユニットタイプとした略示斜視図
（Ｂ）は（Ａ）の家具扉が閉じた状態の縦断略示平面図
【符号の説明】
Ａ…ケーシング
Ｂ…主アーム
Ｃ…副アーム
Ｄ…扉接合具
Ｄ１  …補助接合具
Ｅ…仮固定手段
Ｐ１  …枢支連結部
Ｐ２  …枢支連結部
Ｐ３  …枢支連結部
Ｐ４  …枢支連結部
９…回動中心部
１３…副回動中心部
２２…調整部材
２５ｂ…水平部
２７…家具本体
２８…家具扉
【図１】
2004360180.tif 000003
【図２】
2004360180.tif 000004
【図３】
2004360180.tif 000005
【図４】
2004360180.tif 000006
【図５】
2004360180.tif 000007
【図６】
2004360180.tif 000008
【図７】
2004360180.tif 000009
【図８】
2004360180.tif 000010
【図９】
2004360180.tif 000011
【図１０】
2004360180.tif 000012
【図１１】
2004360180.tif 000013
【図１２】
2004360180.tif 000014
【図１３】
2004360180.tif 000015
【図１４】
2004360180.tif 000016